(57)【要約】【課題】  携帯端末の機種の違い等に関わらず、非接触通信媒体を携帯端末に内蔵した状態で該非接触通信媒体に価値データを送信できるデータ処理装置を提案し、利便性の向上を図る。【解決手段】  価値データ処理装置に、携帯端末を非接触記録媒体が内蔵された状態で載置可能な載置部と、該載置部の開閉手段と、これらを制御する制御手段とを設け、該制御手段により、前記載置部に存在する非接触記録媒体と通信して通信可否を確認する通信確認処理と、前記非接触記録媒体に価値データを送信する価値データ送信処理と、少なくとも前記価値データ送信処理の実行前に前記開閉手段により前記載置部を閉鎖する閉鎖処理とを実行する。【選択図】    図２
2006048455.tif 000002
【特許請求の範囲】
【請求項１】
非接触記録媒体と非接触でデータの通信を行う通信手段と、前記非接触記録媒体に記録させる価値データを前記通信手段により送信する制御手段とを備えた価値データ処理装置であって、
利用者の操作に基づいて所定の処理を実行する携帯用の携帯端末を前記非接触記録媒体が内蔵された状態で載置可能な載置部と、
該載置部の開閉を行い前記携帯端末の載置又は取り出しの可否を制する開閉手段とを設け、
前記制御手段により、
前記通信手段により前記載置部に存在する非接触記録媒体と通信して通信可否を確認する通信確認処理と、
前記通信手段により前記非接触記録媒体に価値データを送信する価値データ送信処理と、
少なくとも前記価値データ送信処理の実行前に前記開閉手段により前記載置部を閉鎖する閉鎖処理とを実行する
データ処理装置。
【請求項２】
前記制御手段により、
前記通信確認処理で正常通信ができなかった場合に案内手段により前記載置部での置き直しを案内する置き直し案内処理を実行する
請求項１記載のデータ処理装置。
【請求項３】
前記置き直し案内処理を、
前記携帯端末の表裏を逆向きに置き直すよう案内を行う構成とした
請求項２記載のデータ処理装置。
【請求項４】
前記通信手段を、通信方向を異ならせて複数備え、
前記通信確認処理を、前記通信手段のそれぞれについて実行可能に構成し、
前記価値データ送信処理を、上記通信確認処理により通信可能であると確認できた通信手段にて実行する
請求項１、２又は３記載のデータ処理装置。
【請求項５】
前記開閉手段を、前記載置部に備えたシャッタ部材と、該シャッタ部材を開閉動作させる駆動手段とで形成し、
前記通信手段を複数備え、
該通信手段の少なくとも１つを上記シャッタ部材に装着すると共に、該通信手段の装着位置を、上記シャッタ部材が閉鎖している状態で他の通信手段と通信方向が異なる位置に設定した
請求項１、２又は３記載のデータ処理装置。
【発明の詳細な説明】
【技術分野】
【０００１】
この発明は、例えば非接触ＩＣカード等の非接触通信媒体と非接触で通信して価値データを処理するようなデータ処理装置に関する。
【背景技術】
【０００２】
従来、価値データを記録できる媒体として非接触ＩＣカードが提案されており、この非接触ＩＣカードの電子マネーとしての利用が提案されている。  
このような非接触ＩＣカードを、電子マネー等価値を記録して利用するためには、価値をチャージ（価値追加）する必要が生じ、このチャージの際には安定して通信を行う必要がある。
【０００３】
通信を安定させるには、非接触ＩＣカードを単体でデータ処理装置内に取り込むことが有効であるが、その都度非接触ＩＣカードを財布や携帯端末から取り出すことは、利用者にとって手間であるという問題があった。
【０００４】
一方、このような手間を省くものとして、非接触ＩＣカードのデータ更新を、非接触ＩＣカードを財布に入れた状態で行える自動券売機が提案されている（特許文献１参照）。  
また、携帯端末に非接触ＩＣカードをセットした状態で非接触ＩＣカードと通信する自動販売機も提案されている（特許文献２参照）。
【０００５】
【特許文献１】特開平１１−２３８１４７号公報
【特許文献２】特開２０００−２０８０１号公報
【発明の開示】
【発明が解決しようとする課題】
【０００６】
しかし、携帯電話等の携帯端末は、様々な形状及び回路構成となっており、非接触ＩＣカード等の非接触通信媒体をセットする位置も機種によって異なるところ、前記自動券売機及び自動販売機は、このような機種間の違いに対応できるものではなかった。
【０００７】
また、最近では非接触通信用のＩＣチップ（以下、「非接触ＩＣチップ」または「ＩＣチップ」と呼ぶ）と非接触通信用のアンテナ（以下、「アンテナ」と呼ぶ）を内蔵した携帯電話が開発されている。この携帯電話は、内蔵される非接触ＩＣチップとアンテナが、単体の非接触ＩＣカードに相当する機能を有する。
【０００８】
このような内蔵タイプのものであっても、非接触通信用のアンテナの位置は携帯電話のメーカ、機種によって異なることとなる。具体的には、最近では折畳式の携帯電話が主流であるが、折畳の面の各側、例えば、メイン液晶の裏側に内蔵したものや、電池パック側に内蔵したものなどが考えられる。
【０００９】
このような内蔵位置の違いによって、通信距離の差異や、携帯電話本体の金属や部品による電波への影響がでてくるため、単体の非接触ＩＣカードに比較して安定したデータ送受信が困難となり、このような携帯端末を前述した自動券売機や自動販売機で実用的に利用するのが難しかった。
【００１０】
この発明は、携帯端末の機種の違い等に関わらず、非接触通信媒体を携帯端末に内蔵した状態で該非接触通信媒体に価値データを送信できるデータ処理装置を提案し、利便性の向上を図ることを目的とする。
【課題を解決するための手段】
【００１１】
この発明は、非接触記録媒体と非接触でデータの通信を行う通信手段と、前記非接触記録媒体に記録させる価値データを前記通信手段により送信する制御手段とを備えた価値データ処理装置であって、利用者の操作に基づいて所定の処理を実行する携帯用の携帯端末を前記非接触記録媒体が内蔵された状態で載置可能な載置部と、該載置部の開閉を行い前記携帯端末の載置又は取り出しの可否を制する開閉手段とを設け、前記制御手段により、前記通信手段により前記載置部に存在する非接触記録媒体と通信して通信可否を確認する通信確認処理と、前記通信手段により前記非接触記録媒体に価値データを送信する価値データ送信処理と、少なくとも前記価値データ送信処理の実行前に前記開閉手段により前記載置部を閉鎖する閉鎖処理とを実行するデータ処理装置であることを特徴とする。
【００１２】
前記非接触記録媒体は、非接触ＩＣタグや非接触ＩＣカード等、非接触でデータ通信を行いデータを記録できる媒体で構成する、あるいはカード形状に限らず、非接触ＩＣチップとアンテナにより構成することができる。
【００１３】
前記内蔵は、前記非接触記録媒体を携帯端末内に一体的に構成する、あるいは別体の前記非接触記録媒体を携帯端末にセットするように格納して構成することができる。
【００１４】
前記価値データは、金額を示す金額データ、又は度数を示す度数データ等、価値を示すデータで構成することができる。  
前記開閉手段は、適宜の駆動手段にて開閉動作するシャッタ、カバー、蓋、又は扉等、開閉する手段で構成することができる。また該開閉手段は、載置部を完全に覆うものでもよく、一部を覆うものであってもよい。一部を覆う場合は、例えばシャッタ、カバーを全開閉ではなく半開閉する構成としても良い。また、棒状のものを駆動して載置部からの取り出しを牽制する程度のものであってもよい。
【００１５】
前記載置部は、携帯端末を載置できる部分であり、凹部、平台、縦穴、又は横穴等、所定の形状に形成することができる。  
前記携帯端末は、携帯電話又はＰＤＡ等、携帯可能な端末で構成することができる。
【００１６】
前記所定の処理は、利用者の入力に基づいて情報処理した結果を表示する処理、非接触記録媒体が記録しているデータを表示する処理、又は、遠隔地の電話機等と通話する通話処理等、携帯端末が実行可能な処理とすることができる。
【００１７】
前記構成により、携帯端末に非接触通信媒体を内蔵した状態で載置部に置き、非接触通信媒体と通信することができる。このとき、通信可否を確認した上で、開閉手段を閉鎖して安定した通信で携帯端末に価値データの送信を行うことができる。通信可否の確認は開閉手段を開状態で行うため、携帯端末の置き位置や向きが悪く確認の際に通信不可であった場合にすぐに携帯端末の置き直しができる。従って、携帯端末の機種間の違いに関わらず、携帯端末への価値データの送信を短時間でスムーズに実行ことができる。
【００１８】
この発明の態様として、前記制御手段により、前記通信確認処理で正常通信ができなかった場合に案内手段により前記載置部での置き直しを案内する置き直し案内処理を実行することができる。
【００１９】
前記案内手段は、画像や文字を表示する液晶モニタやＣＲＴモニタ等の表示手段、あるいは音声を出力するスピーカ等の音声出力手段で構成することができる。
【００２０】
前記構成により、携帯端末と通信できない位置や向きに置かれた場合に置き直しを案内し、この置き直しによって通信することができ、携帯端末の機種間の違いに対応することができる。
【００２１】
またこの発明の態様として、前記置き直し案内処理を、前記携帯端末の表裏を逆向きに置き直すよう案内を行う構成とすることができる。
【００２２】
これにより、携帯端末の表裏どちら側に非接触記録媒体が内蔵されていても、通信不可であれば表裏を逆にするだけで通信が可能となることを案内でき、利用者がスムーズに利用することができる。
【００２３】
またこの発明の態様として、前記通信手段を、通信方向を異ならせて複数備え、前記通信確認処理を、前記通信手段のそれぞれについて実行可能に構成し、前記価値データ送信処理を、上記通信確認処理により通信可能であると確認できた通信手段にて実行することができる。
【００２４】
前記複数の通信手段は、例えば、載置部を挟む状態で２つの通信手段を対向して正反対の通信方向に設定して、上下対向または左右対向に備えることができる。あるいは、載置部の周囲に通信方向が交差するように複数配設することができる。
【００２５】
なお、通信手段は主としてアンテナと通信制御部から構成されるが、通信方向を異ならせて複数備えるのはアンテナのみとして、通信制御部は共通して使用する構成としても良い。
【００２６】
前記構成により、１の通信手段で通信不可であっても、他の通信手段で通信できれば非接触記録媒体へ価値データが送信できるため、接客時間の短縮を図ることができる。
【００２７】
なお、通信確認処理は各々の通信手段について実行可能であるが、必ずしも全ての通信手段で確認しなくてもよい。例えば、通信可と確認できるまで順番に通信確認処理を行っていき、最初に通信可能と確認できた通信手段で価値データ送信処理を実行してもよい。
【００２８】
またこの発明の態様として、前記開閉手段を、前記載置部に備えたシャッタ部材と、該シャッタ部材を開閉動作させる駆動手段とで形成し、前記通信手段を複数備え、該通信手段の少なくとも１つを上記シャッタ部材に装着すると共に、該通信手段の装着位置を、上記シャッタ部材が閉鎖している状態で他の通信手段と通信方向が異なる位置に設定することができる。
【００２９】
前記駆動手段は、モータやソレノイド等、シャッタ部材を可動させる手段で構成することができる。  
前記構成により、載置部の開口部を上に配置することが可能になり、携帯端末を置いたり取り出したりする際の視認性や操作性が向上し、かつ複数の通信手段を用いて非接触記録媒体と確実に通信することができる。
【発明の効果】
【００３０】
この発明により、携帯端末に非接触通信媒体を内蔵した状態で載置部に置き、非接触通信媒体と通信することができる。また、携帯端末の機種によるアンテナの内蔵位置を意識せずに、非接触通信媒体を内蔵した携帯端末をデータ処理装置の載置部に置くことができ、データ処理装置の操作性の向上を図ることができる。
【発明を実施するための最良の形態】
【００３１】
この発明の一実施形態を以下図面と共に説明する。  
【実施例１】
【００３２】
実施例１として、ＩＣカードチャージ装置にアンテナを１つ備えたタイプについて説明する。  
まず、図１に示す斜視図と共に、ＩＣカードチャージ装置１の外観構成について説明する。
【００３３】
ＩＣカードチャージ装置１は、テーブル上に設置した際に接客面が普通人の胸の高さになる程度の大きさに形成しており、正面上部の接客面に、ＬＣＤ表示部１８、押しボタン１９、媒体載置部２３、呼び出しボタン２０及び磁気カード読取りスリット１６を備えている。
【００３４】
ＬＣＤ表示部１８は、液晶ディスプレイで形成しており、接客操作の案内表示を行なう。
【００３５】
押しボタン１９は、金額選択ボタン、終了ボタン、領収書発行ボタン、及び取り消しボタンで構成し、利用者による操作入力を許容する。なお、金額選択ボタンは、１，０００円、２，０００円、５，０００円、及び１０，０００円の４種類を備えて、各チャージ金額を選択できるように構成している。
【００３６】
なお、押しボタン１９は、取り扱い金種（投入可能金種）を１金種（例えば１，０００円札）に限定し、その金種単位（例えば１，０００円単位等）でチャージできるようにして、投入終了を確定する１つの終了ボタン（金額チャージボタン）のみを備える構成としても良い。  
この場合、前者の４金種対応の場合は釣銭放出可能とする構成が考えられるのに対し、後者の１金種対応の場合は釣銭機能を省略できコストダウンが図れる。
【００３７】
媒体載置部２３は、非接触ＩＣカードを単体で、又は非接触通信用のＩＣチップとアンテナを内蔵したモバイル機器（携帯電話やＰＤＡ等）を置くことができる置き場所であり、所定サイズの空間、例えばモバイル機器を掴んだ人の手が入る程度の空間を形成している。
【００３８】
なお、モバイル機器に内蔵されるＩＣチップとアンテナは個別に配置されたものでもよいし、カード形状に一体化したものであってもよいし、さらに、非接触ＩＣカード単体としてモバイル機器に着脱可能になっているものでもよい。
【００３９】
ＩＣカードチャージ装置１の正面下方には、領収書等のレシートを発行するレシート発行口１３ａ、及び紙幣の投入及び放出を行う紙幣投入口１２ａを備えている。
【００４０】
以上の構成により、利用者は媒体載置部２３にモバイル機器を置き、紙幣投入口１２ａから紙幣を投入し、ＬＣＤ表示部１８の案内に従って押しボタン１９を操作して、モバイル機器に内蔵したアンテナを介して非接触ＩＣチップに金額をチャージすることができる。
【００４１】
次に、図２に示す右側面拡大断面図と共に、媒体載置部２３の構成について説明する。
【００４２】
媒体載置部２３は、正面開放のボックス状の空間であり、モバイル機器が入れられる開口部（正面開放部分）に、上下動して開閉することで媒体載置部２３の蓋となるシャッタ２８ａを備えている。
【００４３】
この実施例では、片手で保持し得る程度のサイズのモバイル機器として、携帯電話Ｋを使用した場合で説明する。なお、携帯電話Ｋは、入力操作を許容するキーボタン等の操作入力手段と、音声入力を許容するマイク等の音声入力手段と、音声出力を実行するスピーカ等の音声出力手段と、画像や文字を表示する表示手段と、基地局と無線通信してデータ通信や通話を実行する通信手段と、これらを制御する制御手段とを備えており、遠隔地の電話機との通話やインターネット、Ｅメールの送受信等の処理を実行できる。
【００４４】
前記シャッタ２８ａは、樹脂等による透明又は半透明の部材で形成し、閉鎖状態で中が見えるようにしている。
【００４５】
シャッタ２８ａの近傍には、携帯電話Ｋや人の手等が媒体載置部付近にないか検知する入口センサ２９を備えている。該入口センサ２９は、透過型のセンサで構成する。
【００４６】
シャッタ２８ａの下方には、シャッタ閉センサ３０を備えている。該シャッタ閉センサ３０は、シャッタ２８ａが閉まったことを確認するためのセンサであり、反射型のセンサ、または、機械的なスイッチにて構成している。
【００４７】
媒体載置部２３の底面部分には、媒体（非接触ＩＣ媒体Ｃを内蔵した携帯電話Ｋ、ＰＤＡ、又は非接触ＩＣカード単体等）が置かれたか否かを検知する媒体検知センサ２６を備えると共に、非接触ＩＣ媒体Ｃと非接触でデータ通信するアンテナ２５を備えている。なお、非接触ＩＣカードを財布や定期入れに入れたまま、媒体載置部２３に置いてもよい。
【００４８】
なお、アンテナ２５は、媒体載置部２３の空間内のどの位置に非接触ＩＣ媒体Ｃが位置しても通信ができるように、上記空間全てが通信可能領域となるようにアンテナ２５の通信可能距離を設定している。  
また、前記媒体検知センサ２６は、反射型のセンサで構成する。
【００４９】
媒体載置部２３の背面には、面発光するＬＥＤ２７を備えている。  
なお、携帯電話Ｋは、図３の説明図の（Ａ）の斜視図、及び（Ｂ）の側面図に示すように、ＩＣチップとアンテナとを備えた非接触ＩＣ媒体Ｃを内蔵している。
【００５０】
該非接触ＩＣ媒体Ｃは、前述したように、携帯電話Ｋに内蔵される非接触ＩＣ媒体Ｃは、ＩＣチップとアンテナが個別に配置されたものでも良く、またカード形状に一体化したものであっても良く、さらには、非接触ＩＣカード単体として携帯電話Ｋに着脱可能になっているものでも良い。
【００５１】
非接触ＩＣ媒体Ｃのアンテナの向きは、携帯端末Ｋの表から裏へ、あるいは裏から表へ向って磁力線が通過することで通信可能なように、通信方向がアンテナコイルの軸方向となるように形成している。
【００５２】
以上の構成により、携帯電話Ｋの載置を検知し、媒体載置部に人の手等が存在しないことを確認してシャッタ２８ａを閉じ、アンテナ２５で非接触ＩＣ媒体Ｃと通信することができる。
【００５３】
次に、図４に示すブロック図と共に、ＩＣカードチャージ装置１の構成について説明する。  
ＩＣカードチャージ装置１は、制御部１５に接続した上位通信処理部１１、紙幣処理部１２、レシート処理部１３、記憶処理部１４、接客操作表示部１７、スピーカ／ブザー２１、媒体処理部２４、及び係員操作表示部３１で構成する。
【００５４】
上位通信処理部１１はＬＡＮボード等の通信手段であり、制御部１５の制御信号に従って、サーバ等の上位の装置と通信する通信手段で形成しており、チャージ情報の送信等、適宜のデータ通信を実行する。
【００５５】
紙幣処理部１２は、制御部１５の制御信号に従って、投入された紙幣の金種判別及び真偽判別を実行すると共に、必要に応じて紙幣の返却処理も実行する。なお、紙幣処理部１２に替えて又は追加して、硬貨の金種判別及び真偽判別を実行する硬貨処理部を備えても良い。これらの構成により、チャージ金額の単位に応じた貨幣処理部を備えることができる。
【００５６】
レシート処理部１３はプリンタ等の印刷手段であり、制御部１５の制御信号に従って、必要な情報を印刷したレシートを発行する。
【００５７】
記憶処理部１４はハードディスクやメモリ等の記憶手段であり、制御部１５の制御信号に従って、データの書込み及び読出しを実行する。
【００５８】
接客操作表示部１７は、ＬＣＤ表示部１８（表示手段）及び押しボタン１９（入力手段）で構成している。制御部１５の制御信号に従って、ＬＣＤ表示部１８は操作案内画面等の表示を行ない、押しボタン１９が押下されると押下信号が制御部１５に入力される。
【００５９】
なお、接客操作表示部１７は係員が操作する係員操作表示部として使用しても良く、また係員操作表示部３１を接客操作表示部１７とは別個にＩＣカードチャージ装置１の本体裏面等に設けても良い。
【００６０】
スピーカ／ブザー２１は発音手段であり、制御部１５の制御信号に従って、音声案内やブザー音等を鳴らす。
【００６１】
媒体処理部２４は、アンテナ２５、媒体検知センサ２６、ＬＥＤ２７、シャッタ駆動部２８、及び入口センサ２９で構成している。媒体処理部２４は、制御部１５の制御信号に従って、アンテナ２５で非接触ＩＣ媒体Ｃとデータ通信し、ＬＥＤ２７を発光させ、モータ２８ｂを駆動してシャッタ２８ａを開閉する。媒体検知センサ２６及び入口センサ２９で検知した検知信号は、制御部１５に送信する。
【００６２】
なお、媒体処理部２４とアンテナ２５との間には通信制御部（図示省略）を接続しており、制御部１５からの指示により通信制御部がアンテナ２５を介して非接触ＩＣ媒体Ｃとデータ通信を行う。
【００６３】
以上の構成により、ＩＣカードチャージ装置１は、紙幣の投入受け付け、利用者への操作案内、利用者の操作入力の許容、非接触ＩＣ媒体Ｃとのデータ通信、及びレシートの発行を行うことができる。
【００６４】
次に、図５に示す処理フロー図と共に、ＩＣカードチャージ装置１の制御部１５が実行する動作について説明する。
【００６５】
まず、処理開始前の接客待ち状態では、図６の画面イメージ説明図の（Ｄ）に示すように、ＬＣＤ表示部１８に「ＩＣカード又は携帯電話を置いてください。」と白字（通常色）で表示し、媒体載置部２３に携帯電話Ｋが置かれるまで待ち受け状態として待機する。このとき、ＬＥＤ２７は滅灯（消灯）させておく。
【００６６】
制御部１５は、媒体検知センサ２６で媒体が媒体載置部２３に置かれていないかチェックする（ステップｎ１）。
【００６７】
前記ステップｎ１を媒体の存在が検知できるまで繰返し（ステップｎ２：Ｎ）、媒体が存在した場合は（ステップｎ２：Ｙ）、アンテナ２５による通信を行って通信可否を確認する（ステップｎ３）。
【００６８】
正常通信ができれば（ステップｎ４：Ｙ）、入口センサ２９で障害物が無いことを確かめて（フロー省略）、モータ２８ｂを駆動してシャッタ２８ａを閉鎖する（ステップｎ５）。このとき、正常通信を確認すると、ＬＥＤ２７は青色の点滅を開始し、動作中であることと正常な動作であることが視覚的に分かるようにしている。
【００６９】
なお、入口センサ２９で障害物が検知された場合は、手や携帯電話のストラップなどをのけるか、携帯電話、ＩＣカードの載置状態を確かめることを利用者に促す旨のメッセージを表示または音声で案内する（フロー省略）。
【００７０】
一定時間後にシャッタ閉センサ３０でセンサチェックを行い（ステップｎ６）、シャッタ２８ａの閉鎖が完了していれば（ステップｎ７：Ｙ）、図６の（Ｅ）に示すように、ＬＣＤ表示部１８に現金投入メッセージを白字で表示する（ステップｎ８）。  
このとき、非接触ＩＣ媒体Ｃから読み取ったデータに基づき、カード残額を緑字（金額表示色）で表示すると共に、終了方法と領収書の発行方法の案内も白字（通常色）で表示する。
【００７１】
なお、この時点では、チャージ金額、投入金額の欄は、０円表示または空欄表示のままである。チャージ後残額は、この時点でのカード残額と同じ２００円が表示される。
【００７２】
制御部１５は、紙幣処理部１２で現金の投入を受け付け（ステップｎ９）、終了ボタン（押しボタン１９の１つ）が押下されるまで待機する（ステップｎ１０：Ｎ）。紙幣の投入に応じて、図６（Ｅ）の投入金額欄の表示を更新する。
【００７３】
なお、この現金投入に際しては、１金種（例えば１，０００円等）のみ受け付けとして、投入された現金の全額をチャージ金額として受け付けるが、複数金種（例えば１，０００円札、５，０００円札、１０，０００円札等）を受け付け、押しボタン１９にてチャージ金額を選択できる構成としても良い。
【００７４】
終了ボタンが押下されると（ステップｎ１０：Ｙ）、制御部１５はアンテナ２５から非接触ＩＣ媒体Ｃにチャージ後残高を記録させるデータ送信処理を実行してチャージ処理を行う（ステップｎ１１）。
【００７５】
このとき、図６の（Ｆ）に示すように、ＬＣＤ表示部１８にはチャージ中であることを白字で表示する。また、チャージ金額、チャージ後金額を表示する。チャージ金額は、１金種受付用の場合は投入金額であり、複数金種受付用の場合はボタンで指定選択した金額となる。チャージ後金額は、先述のカード残額とチャージ金額の和である。なお、カード・携帯（電話）のとり忘れ注意を黄色字（注意色）で表示して、予め注意を喚起する。
【００７６】
チャージが終了すると、図７の画面イメージ説明図の（Ｇ）に示すように、チャージ終了メッセージをＬＣＤ表示部１８に表示し（ステップｎ１２）、モータ２８ｂを駆動してシャッタ２８ａを開動作させる（ステップｎ１３）。
【００７７】
このときのチャージ終了メッセージは、「ありがとうございます」と白字で表示すると共に、媒体のとり忘れ注意のメッセージを黄色字で表示する。  
またこのとき、チャージが正常終了であれば、ＬＥＤ２７を青色点滅から青色点灯に切替え点灯させ、正常終了か異常終了かを視覚的に分かるようにしている。
【００７８】
なお、図示は省略するが、チャージが異常終了であれば、ＬＥＤ２７を青色点滅から赤色点灯に切替え点灯させて、シャッタ２８ａを開けずにチャージ処理のリトライを行い、リトライオーバーでシャッタ２８ａを開いて、エラーメッセージを表示して返金処理を行う。
【００７９】
制御部１５は、媒体の取り忘れチェックとして、媒体検知センサ２６により媒体の有無のチェック（ステップｎ１４）を媒体無しと検知するまで繰返す（ステップｎ１５：Ｎ）。媒体無しが検知できた場合は（ステップｎ１５：Ｙ）、ＬＥＤ２７を滅灯させて処理を終了する。
【００８０】
媒体無しが検知されるまで、図７（Ｇ）のチャージ終了メッセージの取り忘れメッセージ「カード・携帯をお取りください」を点滅表示したり、スピーカ／ブザー２１によって警告してもよい。
【００８１】
前記ステップｎ４で正常通信できなかった場合には（ステップｎ４：Ｎ）、図７の（Ｈ）に示すように、再操作メッセージ１として媒体の置き直しを求める案内メッセージを赤字（警告色）で表示する（ステップｎ１６）。  
この際には、シャッタが未だ閉じていないので、利用者はすぐに携帯電話Ｋまたは単体のＩＣカード等を置き直すことができる。
【００８２】
このとき、ＬＥＤ２７を滅灯から赤色点灯に切替えて点灯させ、視覚的に通信エラーであることを分かりやすくする。
【００８３】
制御部１５は再度アンテナ２５による通信を行って通信可否を確認し、正常通信ができれば（ステップｎ１７：Ｙ）ステップｎ５へ進み、正常通信ができなければ（ステップｎ１７：Ｎ）ステップｎ１にリターンする。
【００８４】
前記ステップｎ７でシャッタ２８ａが完全に閉じない場合には（ステップｎ７：Ｎ）、モータ２８ｂを駆動してシャッタ２８ａを開動作させ（ステップｎ１９）、図７の（Ｉ）に示すように、再操作メッセージ２としてシャッタ２８ａ（カバー）が閉まらないこと、及び媒体を奥まで置くことを案内するメッセージを赤字で表示し（ステップｎ２０）、ステップｎ１にリターンする。  
なお、案内にはストラップの引っ掛かりを確認する旨のメッセージを表示するようにしてもよい。
【００８５】
以上の動作により、利用者は非接触ＩＣ媒体Ｃが携帯電話Ｋに内蔵（若しくは格納）された状態か単体かに関わらず、同一操作で容易にチャージすることができる。
【００８６】
携帯電話Ｋ等のモバイル機器は機種等によってその構成や非接触ＩＣ媒体Ｃの内蔵位置が異なるが、この違いによって通信不可であった場合でも、再操作メッセージ１で置き直しを求めることで、通信可能な位置や向きに置き直されて確実に通信してチャージすることができる。
【００８７】
なお、シャッタ２８ａは、格子状や柵状の部材で形成しても良く、また１本の棒状部材などで、処理中に携帯電話やＩＣカードに触れにくくするものでもよい。また、シャッタ２８ａは、不透明の部材で閉鎖状態で中が見えないように構成しても良い。閉鎖状態で中が見えない構成とした場合には、ステップｎ８からｎ１２の間はＬＥＤ２７を滅灯させ、消費電力の削減を図ると良い。
【００８８】
また、前記ステップｎ１６で表示する再操作メッセージ１は、図８の画面イメージ図に示すように、媒体の表裏を逆にして置き直すことを要請する案内として設定しても良い。  
ここで、携帯電話Ｋの表裏とは、図３の（Ｂ）の側面図における上面側を表とし、下面側を裏とする。
【００８９】
この設定により、携帯電話Ｋ等のモバイル機器の機種によって非接触ＩＣ媒体Ｃの内蔵位置、特にアンテナの内蔵位置が表裏何れ側であっても、容易に対応することができる。すなわち、一度通信が正常に行われなくとも、表裏を逆にして置き直すことで、非接触ＩＣ媒体Ｃとアンテナ２５との距離が近くなる、あるいは通信障害の原因となる他の部品との位置関係が変わる等によって通信可能となり、モバイル機器の機種による非接触ＩＣ媒体Ｃの内蔵位置の違いに対応できる。
【実施例２】
【００９０】
次に、実施例２として、ＩＣカードチャージ装置にアンテナを２つ備えたタイプについて説明する。  
この場合は、図９の右側面拡大断面図に示すように、媒体載置部２３の上面側（天井側）にも、アンテナ２５を備える。この実施例では、アンテナ２５の区別のため、上面側のアンテナを上側アンテナ２５ａとし、下面側（底面側）のアンテナを下側アンテナ２５ｂとする。
【００９１】
なお、上側アンテナ２５ａ及び下側アンテナ２５ｂは、媒体載置部２３の空間内のどの位置に非接触ＩＣ媒体Ｃが位置しても通信ができるように、上記空間全てが通信可能領域となるように通信可能距離を設定している。
【００９２】
ここで、上側アンテナ２５ａ及び下側アンテナ２５ｂは、通信方向を互いに対向させて上下非対象に備えているが、通信方向を互いに対向させて上下対象に備えても良い。
【００９３】
このように構成したＩＣカードチャージ装置１は、図１０のブロック図に示すように、媒体処理部２４に上側アンテナ２５ａ（アンテナ１）及び下側アンテナ２５ｂ（アンテナ２）を接続する。
【００９４】
その他の構成要素は、前述した実施例１と同一であるので、同一要素に同一符号を付して、その詳細な説明を省略する。
【００９５】
以上の構成により、ＩＣカードチャージ装置１は、上側アンテナ２５ａと下側アンテナ２５ｂのいずれか一方が非接触ＩＣ媒体Ｃと通信できれば、非接触ＩＣ媒体Ｃにチャージすることができる。
【００９６】
次に、図１１に示す処理フロー図と共に、ＩＣカードチャージ装置１の動作について説明する。
【００９７】
この実施例では、媒体検知センサ２６による媒体検知チェック（ステップｓ１）を媒体有りと検知できるまで繰返し（ステップｓ２：Ｎ）、媒体有りと検知すると（ステップｓ２：Ｙ）、下側アンテナ２５ｂで通信処理を開始する（ステップｓ３）。
【００９８】
下側アンテナ２５ｂで正常に通信できた場合には（ステップｓ４：Ｙ）、ステップｓ５に進む。  
下側アンテナ２５ｂで正常通信できなかった場合には（ステップｓ４：Ｎ）、上側アンテナ２５ａで通信処理を実行する（ステップｓ１６）。
【００９９】
この通信処理で正常通信ができた場合には（ステップｓ１７：Ｙ）、ステップｓ５に進む。正常通信できなかった場合には（ステップｓ１７：Ｎ）、再操作メッセージ１として媒体の置き直しを求める案内メッセージ（図７の（Ｈ））を赤字で表示し（ステップＳ１８）、ステップｓ１にリターンしてやり直す。この際には、シャッタが未だ閉じていないので、利用者はすぐに携帯電話Ｋまたは単体のＩＣカード等を置き直すことができる。
【０１００】
その他の処理であるステップｓ５〜ｓ１５及びステップｓ１９〜ｓ２０は、前述した実施例１のステップｎ５〜ｎ１５及びステップｎ１９〜ｎ２０の対応するステップと同一であるので、その詳細な説明を省略する。
【０１０１】
以上の動作により、複数のアンテナ２５を通信可能となるまで順番に切替えて通信による確認をし、２つのアンテナ２５（２５ａ，２５ｂ）を効果的に使用できる。
【０１０２】
これにより、いずれかのアンテナ２５で通信が可能であれば、そのままチャージ処理を行うことができ、利用者に携帯電話やＩＣカード置き直しや表裏反転等を要求する確率を格段に減少させ、利便性を向上させることができる。
【０１０３】
なお、以上の各実施形態で、媒体載置部２３は、正面開放として形成したが、上面開放のボックス状に形成しても良く、あるいは正面側上面開放のボックス状に形成しても良い。
【０１０４】
この場合は、媒体を横方向へ挿入して置くのではなく、下方へ挿入して置く、あるいは斜め下方に挿入して置くといったことができる。媒体載置部２３が目線の高さより低い場合は、正面開放のみの横方向挿入よりも、上面開放の下方挿入の方が視認性がよい。また、利用者が正しく奥まで置かなかったために媒体を落としてしまうといったことを防止できる。
【実施例３】
【０１０５】
次に、実施例３として、ＩＣカードチャージ装置に２つのアンテナを備え、そのうち一方をシャッタ２８ａに備えたタイプについて説明する。  
この場合は、図１２の右側面拡大断面図による説明図に示すように、媒体載置部２３の下側には下側アンテナ２５ｂを備えると共に、媒体載置部２３のシャッタ２８ａに、上側アンテナ２５ａを備える。
【０１０６】
なお、上側アンテナ２５ａ及び下側アンテナ２５ｂは、媒体載置部２３の空間内のどの位置に非接触ＩＣ媒体Ｃが位置しても通信ができるように、シャッタ閉鎖時には上記空間全てが通信可能領域となるように通信可能距離を設定している。
【０１０７】
シャッタ２８ａは、図１２の（Ｊ）に示す開状態から、モータ２８ｂ（図１０）の駆動力によって回動し、（Ｋ）に示す閉鎖状態に移行する。
【０１０８】
その他の構成要素は、前述した実施例２と同一であるので、同一要素に同一符号を付して、その詳細な説明を省略する。
【０１０９】
以上の構成により、媒体載置部２３の開口部を正面及び上面の開放により大きく形成して携帯電話Ｋを置きやすくし、かつシャッタ２８ａの閉鎖状態においては上方からも上側アンテナ２５ａで非接触ＩＣ媒体Ｃと通信することが可能となる。
【０１１０】
次に、図１３に示す処理フロー図と共に、ＩＣカードチャージ装置１の制御部１５が実行する動作について説明する。
【０１１１】
まず、処理開始前の接客待ち状態では図６の画面イメージ説明図の（Ｄ）に示したように、ＬＣＤ表示部１８に「ＩＣカード又は携帯電話を置いてください。」と白字で表示し、媒体載置部２３に携帯電話Ｋが置かれるまで待ち受け状態として待機する。このとき、ＬＥＤ２７は滅灯（消灯）させておく。
【０１１２】
制御部１５は、媒体検知センサ２６で携帯電話又はＩＣカードといった媒体が媒体載置部２３に置かれていないかチェックする（ステップｐ１）。
【０１１３】
該ステップｐ１を媒体の存在が検知できるまで繰返し（ステップｐ２：Ｎ）、媒体が存在した場合は（ステップｐ２：Ｙ）、モータ２８ｂを駆動してシャッタ２８ａを閉鎖する（ステップｐ３）。
【０１１４】
一定時間後にシャッタ閉センサ３０でセンサチェックを行い（ステップｐ４）、シャッタ２８ａの閉鎖が完了していれば（ステップｐ５：Ｙ）、下側アンテナ２５ｂ（アンテナ２）による通信を行って通信可否を確認する（ステップｐ６）。
【０１１５】
正常通信ができれば（ステップｐ７：Ｙ）、ＬＥＤ２７の青色の点滅を開始し、動作中であることと正常な動作であることが視覚的に分かるようにした上で、図６の（Ｅ）に示したように、ＬＣＤ表示部１８に現金投入メッセージを白字で表示する（ステップｐ８）。
【０１１６】
このとき、非接触ＩＣ媒体Ｃから読み取ったデータに基づき、カード残額を緑字で表示すると共に、終了方法と領収書の発行方法の案内も白字で表示する。  
なお、この時点では、チャージ金額、投入金額の欄は、０円表示または空欄表示のままである。チャージ後残額は、この時点でのカード残額と同じ２００円が表示される。
【０１１７】
制御部１５は、紙幣処理部１２で現金の投入を受け付け（ステップｐ９）、終了ボタン（押しボタン１９の１つ）が押下されるまで待機する（ステップｐ１０：Ｎ）。紙幣の投入に応じて、図６（Ｅ）の投入金額欄の表示が更新される。
【０１１８】
終了ボタンが押下されると（ステップｐ１０：Ｙ）、制御部１５はアンテナ２５により非接触ＩＣ媒体Ｃにチャージ後残高を記録させるデータ送信処理を実行してチャージ処理を行う（ステップｐ１１）。
【０１１９】
このとき、前記ステップｐ６で通信できた場合は下側アンテナ２５ｂ（アンテナ２）を使用し、後述のステップｐ１８で通信できた場合は上側アンテナ２５ａ（アンテナ１）を使用する。  
またこのとき、図６の（Ｆ）に示したように、ＬＣＤ表示部１８にはチャージ中であることを示す白字の表示を行なう。また、チャージ金額、チャージ後金額を表示する。
【０１２０】
チャージ金額は、１金種受付用の場合は投入金額であり、複数金種受付用の場合はボタンで指定選択した金額となる。チャージ後金額は、先述のカード残額とチャージ金額の和である。なお、カード・携帯（電話）のとり忘れ注意の黄色字の表示を行ない、予め注意を喚起する。
【０１２１】
チャージが終了すると、図７の画面イメージ説明図の（Ｇ）に示したように、チャージ終了メッセージをＬＣＤ表示部１８に表示し（ステップｐ１２）、モータ２８ｂを駆動してシャッタ２８ａを開動作させる（ステップｐ１３）。このときのチャージ終了メッセージは、「ありがとうございます」と白字で表示すると共に、媒体のとり忘れ注意のメッセージを黄色字で表示する。
【０１２２】
またこのとき、チャージが正常終了であれば、ＬＥＤ２７を青色点滅から青色点灯に切替え点灯させ、正常終了か異常終了かを視覚的に分かるようにしている。  
なお、図示は省略するが、チャージが異常終了であれば、ＬＥＤ２７を青色点滅から赤色点灯に切替え点灯させて、シャッタ２８ａを開けずにチャージ処理のリトライを行い、リトライオーバーでシャッタ２８ａを開いて、エラーメッセージを表示して返金処理を行う。
【０１２３】
制御部１５は、媒体の取り忘れチェックとして、媒体検知センサ２６により媒体の有無のチェック（ステップｐ１４）を媒体無しと検知するまで繰返す（ステップｐ１５：Ｎ）。媒体無しが検知できた場合は（ステップｐ１５：Ｙ）、ＬＥＤ２７を滅灯させて処理を終了する。
【０１２４】
媒体無しが検知されるまで、図７（Ｇ）のチャージ終了メッセージの取り忘れメッセージ「カード・携帯をお取りください」を点滅表示したり、スピーカ／ブザー２１によって警告してもよい。
【０１２５】
前記ステップｐ５でシャッタ２８ａが完全に閉じない場合には（ステップｐ５：Ｎ）、モータ２８ｂを駆動してシャッタ２８ａを開動作させ（ステップｐ１６）、図７の（Ｉ）に示したように、再操作メッセージ２としてシャッタ２８ａ（カバー）が閉まらないこと、及び媒体を奥まで置くことを案内するメッセージを赤字で表示して（ステップｐ１７）、ステップｐ１にリターンする。
【０１２６】
前記ステップｐ７で正常通信できなかった場合には（ステップｐ７：Ｎ）、シャッタ２８ａに備えられた上側アンテナ２５ａで通信可否を確認し（ステップｐ１８）、正常通信ができれば（ステップｐ１９：Ｙ）ステップｐ８へ進み、正常通信ができなければ（ステップｐ１９：Ｎ）、モータ２８ｂの駆動によりシャッタ２８ａを開動作させる（ステップｐ２０）。
【０１２７】
制御部１５は、図７の（Ｈ）に示したように、再操作メッセージ１として媒体の置き直しを求める案内メッセージを赤字で表示し（ステップｐ２１）、ステップｐ１にリターンしてやり直す。
【０１２８】
このとき、ＬＥＤ２７を滅灯から赤色点灯に切替えて点灯させ、視覚的に通信エラーであることを分かりやすくする。
【０１２９】
以上の動作により、利用者は非接触ＩＣ媒体Ｃが携帯電話Ｋに内蔵された状態か単体かに関わらず、同一操作で容易にチャージすることができる。
【０１３０】
媒体載置部２３は開口部が大きく媒体が置き易い上に、上側アンテナ２５ａ又は下側アンテナ２５ｂのいずれか一方で通信できればチャージが行えるため、利便性が高く利用者の満足度を向上させることができる。
【０１３１】
なお、以上の各実施形態にて、携帯電話Ｋは媒体載置部２３に縦向きに置いた図で説明したが、媒体載置部２３には十分な空間を設けているため、水平方向へ９０度回転させた横向きや、斜め向き等、自由な向きで置くこともできる。
【０１３２】
従って、利用者は置きやすい向きに置くことができ、置き直しを求められた場合には、置き直しの向きや位置を十分変更することができる。
【０１３３】
また、ＬＥＤ２７は媒体載置部２３の奥側に備えたが、媒体載置部２３の底面部に備える構成としても良い。この場合は、ＬＥＤ２７の発光を上から見て確認することができ、背の高い利用者であってもＬＥＤ２７の発光を容易に確認することができる。
【０１３４】
また、ＩＣカードチャージ装置１のメンテナンスの際には、押しボタン１９にて係員の操作を許容し、ＬＣＤ表示部１８に必要な表示を行なう構成としたが、係員操作表示部として、別途の係員用押しボタン及び係員用ＬＣＤ表示部を備えても良い。
【０１３５】
この発明の構成と、上述の実施形態との対応において、
この発明のデータ処理装置は、実施形態のＩＣカードチャージ装置１に対応し、
以下同様に、
制御手段は、制御部１５に対応し、
案内手段は、ＬＣＤ表示部１８に対応し、
載置部は、媒体載置部２３に対応し、
通信手段は、アンテナ２５、上側アンテナ２５ａ、及び下側アンテナ２５ｂに対応し、
駆動手段は、モータ２８ｂに対応し、
開閉手段は、モータ２８ｂ及びシャッタ２８ａに対応し、
シャッタ部材は、シャッタ２８ａに対応し、
非接触記録媒体は、非接触ＩＣ媒体Ｃに対応し、
通信確認処理は、ステップｎ３〜ｎ４，ｓ３〜ｓ４，ｓ１６〜ｓ１７，ｐ６〜ｐ７，ｐ１８〜ｐ１９に対応し、
閉鎖処理は、ステップｎ５，ｓ５，ｐ３に対応し、
価値データ送信処理は、ステップｎ１１，ｓ１１，ｐ１１に対応し、
置き直し案内処理は、ステップｎ１６，ｓ１８，ｐ２１に対応し、
価値データは、金額データに対応し、
所定の処理は、遠隔地の電話機との通話やインターネット、及びＥメールの送受信等の処理に対応するも、
この発明は、上述の実施形態の構成のみに限定されるものではなく、多くの実施の形態を得ることができる。
【図面の簡単な説明】
【０１３６】
【図１】ＩＣカードチャージ装置の外観構成を示す斜視図。
【図２】媒体載置部の構成を示す右側面拡大断面図。
【図３】非接触ＩＣ媒体を内蔵した携帯電話の説明図。
【図４】ＩＣカードチャージ装置の構成を示すブロック図。
【図５】ＩＣカードチャージ装置の動作を示す処理フロー図。
【図６】画面イメージの説明図。
【図７】画面イメージの説明図。
【図８】画面イメージの説明図。
【図９】実施例２の媒体載置部の構成を示す右側面拡大断面図。
【図１０】実施例２のＩＣカードチャージ装置の構成を示すブロック図。
【図１１】実施例２のＩＣカードチャージ装置の動作を示す処理フロー図。
【図１２】実施例３の媒体載置部の構成を示す右側面拡大断面図。
【図１３】実施例３のＩＣカードチャージ装置の動作を示す処理フロー図。
【符号の説明】
【０１３７】
１…ＩＣカードチャージ装置
１５…制御部
１８…ＬＣＤ表示部
２３…媒体載置部
２５…アンテナ
２５ａ…上側アンテナ
２５ｂ…下側アンテナ
２８ａ…シャッタ
２８ｂ…モータ
Ｃ…非接触ＩＣ媒体
Ｋ…携帯電話
【図１】
2006048455.tif 000003
【図２】
2006048455.tif 000004
【図３】
2006048455.tif 000005
【図４】
2006048455.tif 000006
【図５】
2006048455.tif 000007
【図６】
2006048455.tif 000008
【図７】
2006048455.tif 000009
【図８】
2006048455.tif 000010
【図９】
2006048455.tif 000011
【図１０】
2006048455.tif 000012
【図１１】
2006048455.tif 000013
【図１２】
2006048455.tif 000014
【図１３】
2006048455.tif 000015